(57)【要約】【課題】表示装置の輝度ムラを適切に補正する。【解決手段】輝度ムラ領域あるいは輝度ムラ領域とその周辺領域とを含む補正領域に含まれる画素のうちの一部の画素を調整補正画素として選択し、調整補正画素に対する階調値の補正量を当該補正領域に含まれる調整補正画素以外の画素に対する階調値の補正量と異ならせることにより、補正領域の全画素の輝度値を擬似的に表示用画像データの１階調分に相当する輝度値未満（あるいは表示用画像データの小数部分が０でない階調値に相当する輝度値）だけ補正する。【選択図】図１
2011039451.tif 000002
【特許請求の範囲】
【請求項１】
表示用画像データに応じた画像を表示するための表示画面と、上記表示画面の各画素の表示状態を制御する駆動制御部とを備えた表示装置であって、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための上記検査用画像データに基づいて作成された補正データを記憶する補正データ記憶部と、
上記表示用画像データに応じた画像を上記表示画面に表示させる際に、上記補正データ記憶部に記憶している補正データに基づいて上記補正領域に含まれる画素のうちの少なくとも一部の画素の階調値を変化させるように上記表示用画像データを補正する画像データ補正部とを備え、
上記画像データ補正部は、
上記補正領域に含まれる画素のうちの一部の画素を調整補正画素として選択し、調整補正画素に対する階調値の補正量を当該補正領域に含まれる調整補正画素以外の画素に対する階調値の補正量と異ならせ、
上記駆動制御部は、上記画像データ補正部によって補正された表示用画像データに応じた画像を表示させるように上記各画素の表示状態を制御することを特徴とする表示装置。
【請求項２】
上記画像データ補正部は、
上記調整補正画素同士が上記補正領域内において密集せずに分散するように各調整補正画素を選択することを特徴とする請求項１に記載の表示装置。
【請求項３】
上記画像データ補正部は、
上記調整補正画素として選択する画素を上記補正領域内において所定期間毎に変更することを特徴とする請求項１または２に記載の表示装置。
【請求項４】
上記画像データ補正部は、
上記差が上記表示用画像データの１階調に相当する輝度値以下である補正領域について、上記調整補正画素の階調値を少なくとも１階調変化させるように補正する一方、当該補正領域内における上記調整補正画素以外の画素の階調値については補正しないことを特徴とする請求項１から３のいずれか１項に記載の表示装置。
【請求項５】
上記画像データ補正部は、
上記差の上記表示用画像データの１階調に相当する輝度値に対する比が１以下である補正領域について、当該補正領域に含まれる画素のうち上記比の大きさに応じた割合の画素を上記調整補正画素として選択することを特徴とする請求項４に記載の表示装置。
【請求項６】
上記画像データ補正部は、
上記差が上記表示用画像データの１階調に相当する輝度値を超える補正領域について、当該補正領域に含まれる各画素の階調値を少なくとも１階調変化させるとともに、当該補正領域内における上記調整補正画素の階調値の補正量を当該補正領域内における上記調整補正画素以外の画素の階調値の補正量よりも少なくとも１階調大きくすることを特徴とする請求項１から５のいずれか１項に記載の表示装置。
【請求項７】
上記画像データ補正部は、
上記差の上記表示用画像データの１階調に相当する輝度値に対する比が１を超える補正領域について、当該補正領域に含まれる各画素の階調値を上記比の整数部分の数値に応じて少なくとも１階調変化させるとともに、上記補正領域に含まれる画素のうち上記比の小数部分の数値に応じた割合の画素を上記調整補正画素として選択し、選択した調整補正画素の階調値の補正量を当該補正領域内における調整補正画素以外の画素の階調値の補正量よりも少なくとも１階調大きくすることを特徴とする請求項６に記載の表示装置。
【請求項８】
上記画像データ補正部は、
上記差が上記表示用画像データの１階調に相当する輝度値を超える補正領域について、上記調整補正画素の階調値を２階調以上補正する一方、当該補正領域内における上記調整補正画素以外の画素の階調値については補正しないことを特徴とする請求項１から５のいずれか１項に記載の表示装置。
【請求項９】
上記画像データ補正部は、
上記差の上記表示用画像データの１階調に相当する輝度値に対する比が１を超える補正領域について、上記比を除算した場合の除算結果が１以下となる２以上の整数ｎで上記比を除算し、この除算結果に応じた割合の画素を上記調整補正画素として選択し、選択した調整補正画素の階調値をｎ階調変化させることを特徴とする請求項８に記載の表示装置。
【請求項１０】
上記補正データには、上記補正領域の位置、または位置および範囲を示す情報と、上記差の上記表示用画像データの１階調に相当する輝度値に対する比を示す情報または上記補正領域に含まれる画素の数に対する上記調整補正画素の数の割合を示す情報または比の大きさに応じて上記補正領域を複数のグループのうちのいずれかに分類した分類結果を示す情報とが含まれており、
上記画像データ補正部は、
上記補正領域に含まれる画素のうち上記補正データに含まれる上記比または上記割合または上記分類結果に応じた数の画素を上記調整補正画素として選択することを特徴とする請求項１から９のいずれか１項に記載の表示装置。
【請求項１１】
上記補正データには、上記補正領域の位置、または位置および範囲を示す情報と、上記差の上記表示用画像データの１階調に相当する輝度値に対する比の大きさに応じて上記補正領域を複数のグループのうちのいずれかに分類した分類結果を示す情報とが含まれており、
上記画像データ補正部は、
上記補正データと、上記各グループに対応して予め定められた上記調整補正画素の配置パターンとに基づいて上記調整補正画素を選択することを特徴とする請求項１から９のいずれか１項に記載の表示装置。
【請求項１２】
上記画像データ補正部は、
上記表示画面において垂直方向または水平方向に延伸するように存在するスジ状の輝度ムラを補正するための第１補正部と、
上記表示画面において局所的に存在する斑点状の輝度ムラを補正するための第２補正部とを備えていることを特徴とする請求項１から１１のいずれか１項に記載の表示装置。
【請求項１３】
表示用画像データに応じた画像を表示するための表示画面を備えた表示装置における上記表示画面の輝度ムラを補正する輝度ムラ補正方法であって、
上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための上記検査用画像データに基づいて作成された補正データを記憶する補正データ記憶工程と、
上記表示用画像データに応じた画像を上記表示画面に表示させる際に、上記補正データ記憶工程で記憶した補正データに基づいて上記補正領域に含まれる画素のうちの少なくとも一部の画素の階調値を変化させるように上記表示用画像データを補正する画像データ補正工程と、
上記画像データ補正工程によって補正された表示用画像データに応じた画像を表示させるように上記各画素の表示状態を制御する駆動制御工程とを含み、
上記画像データ補正工程では、
上記補正領域に含まれる画素のうちの一部の画素を調整補正画素として選択し、調整補正画素に対する階調値の補正量を当該補正領域に含まれる調整補正画素以外の画素に対する階調値の補正量と異ならせることを特徴とする輝度ムラ補正方法。
【請求項１４】
請求項１から１２のいずれか１項に記載の表示装置における上記補正データ記憶部に記憶させるための上記補正データを作成する補正データ作成装置であって、
検査用画像データに応じた画像が表示されている状態の上記表示画面を撮像して得られる撮像データにおける各画素の輝度値あるいは各画素を複数の画素毎に分割した各画素群の輝度値と上記検査用画像データに対応する適正輝度値との差を算出し、算出した上記差の大きさが予め定められた閾値以上である画素あるいは画素群の集合からなる領域を輝度ムラ領域として検出する輝度ムラ検出部と、
上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成部とを備えており、
上記補正データ生成部は、
上記補正領域の位置および範囲を示す情報と、上記差の上記表示用画像データの１階調に相当する輝度値に対する比、上記比の大きさに応じて算出される上記補正領域に含まれる画素の数に対する選択すべき上記調整補正画素の数の割合、および上記差の上記表示用画像データの１階調に相当する輝度値に対する比の大きさに応じて複数のグループのうちのいずれかに分類した分類結果のうちの少なくとも１つを示す情報とを上記補正データに含めることを特徴とする補正データ作成装置。
【請求項１５】
上記撮像データにおける注目画素または注目画素群を含む所定範囲の領域に含まれる画素の輝度値の平均値を上記注目画素または注目画素群の輝度値に置き換えた上記注目画素または上記注目画素群の移動平均値を算出する処理を、注目画素または注目画素群を移動させながら表示画面全体について順次行う移動平均化処理部を備え、
上記輝度ムラ検出部は、
上記撮像データにおける各画素または各画素群についての上記移動平均値を当該各画素または各画素群の適正輝度値とみなして輝度ムラ領域の検出を行うことを特徴とする請求項１４に記載の補正データ作成装置。
【請求項１６】
上記輝度ムラ検出部は、
上記撮像データの各画素を所定方向に並ぶ画素の集合からなる複数のライン画素群に分類し、各ライン画素群に含まれる各画素の輝度値の平均値を当該ライン画素群の輝度値とし、
上記撮像データにおける各ライン画素群の輝度値と当該各ライン画素群についての上記適正輝度値との差の大きさが予め定められた閾値以上であるライン画素群の集合からなる領域を輝度ムラ領域として検出することを特徴とする請求項１４または１５に記載の補正データ作成装置。
【請求項１７】
上記表示画面は多数の走査信号線とこれら各走査信号線に交差する多数のデータ信号線とを備え、上記走査信号線および上記データ信号線によって区画される各領域に画素が形成された表示パネルの表示画面であり、
上記ライン画素群は、上記走査信号線の延伸方向または上記データ信号線の延伸方向に並ぶ画素の集合からなることを特徴とする請求項１６に記載の補正データ作成装置。
【請求項１８】
上記補正データ生成部は、
上記表示画面において局所的に存在する斑点状の輝度ムラに対応する上記補正領域の形状を円形または多角形に近似し、当該補正領域の位置および範囲を示す情報を上記補正データに含めることを特徴とする請求項１４または１５に記載の補正データ作成装置。
【請求項１９】
上記補正データ生成部は、
上記補正領域に含まれる上記調整補正画素に対する階調値の補正量と当該補正領域に含まれる上記調整補正画素以外の画素に対する階調値の補正量を示す情報とを上記補正データに含めることを特徴とする請求項１４から１８のいずれか１項に記載の補正データ作成装置。
【請求項２０】
上記補正データ生成部は、
上記補正領域を複数のブロックに分割し、
上記撮像データにおける上記各ブロックの輝度値と適正輝度値との差、および上記差の上記表示用画像データの１階調に相当する輝度値に対する比を算出し、
上記比、上記割合、および上記分類結果のうちの少なくとも１つを示す情報を、上記ブロック毎に生成して上記補正データに含めることを特徴とする請求項１４から１９のいずれか１項に記載の補正データ作成装置。
【請求項２１】
請求項１から１２のいずれか１項に記載の表示装置における上記補正データ記憶部に記憶させるための上記補正データを作成する補正データ作成方法であって、
検査用画像データに応じた画像を上記表示画面に表示させる工程と、
上記検査用画像データに応じた画像が表示されている状態の上記表示画面を撮像して撮像データを取得する工程と、
上記撮像データにおける各画素の輝度値あるいは各画素を複数の画素毎に分割した各画素群の輝度値と上記検査用画像データに対応する適正輝度値との差を算出し、算出した上記差の大きさが予め定められた閾値以上である画素あるいは画素群の集合からなる領域を輝度ムラ領域として検出する輝度ムラ検出工程と、
上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成工程とを含み、
上記補正データ生成工程では、
上記補正領域の位置、または位置および範囲を示す情報と、上記差の上記表示用画像データの１階調に相当する輝度値に対する比、上記比の大きさに応じて算出される上記補正領域に含まれる画素の数に対する選択すべき上記調整補正画素の数の割合、および上記差の上記表示用画像データの１階調に相当する輝度値に対する比の大きさに応じて複数のグループのうちのいずれかに分類した分類結果のうちの少なくとも１つを示す情報とを上記補正データに含めることを特徴とする補正データ作成方法。
【発明の詳細な説明】
【技術分野】
【０００１】
本発明は、表示装置の表示画面における輝度ムラを補正するための技術に関するものである。
【背景技術】
【０００２】
液晶表示装置やプラズマディスプレイ、有機ＥＬディスプレイ等の画像表示装置では、その製造工程上のさまざまな理由により、画面上の表示輝度が局所的に所望の輝度よりも暗くなったり明るくなったりする輝度ムラが発生することがある。
【０００３】
輝度ムラは、その形状に応じていくつかの種類に分類されるが、代表的なものに表示画面にスジ状の輝度ムラが生じるスジ状ムラと、局所的に斑点上の輝度ムラが生じる斑点状ムラがある。
【０００４】
例えば、小型高精細液晶パネルの製造工程においてガラス基板上にアモルファスシリコンを堆積した後、レーザー照射を行うことによって移動度の低いアモルファスシリコンを結晶化して移動度の高いポリシリコンに変化させる際に用いるレーザーの強度分布にムラがあると、レーザーのスキャン方向に沿ってポリシリコンの特性にムラが生じ、スジ状ムラの原因となる。また、表示装置中にはさまざまな寄生容量が存在するが、その寄生容量値が信号線などのライン毎にばらつくことによってスジ状ムラが生じる場合もある。
【０００５】
また、斑点状ムラは、例えば、表示パネルのセル厚が局所的に周囲と異なる、ＴＦＴの特性が局所的に異なる、電極パターン寸法が局所的に異なる、配向膜ピンホールが局所的に存在する、汚染異物が局所的に混入している、などの原因によって生じる。
【０００６】
輝度ムラを補正する方法として、例えば、特許文献１には、液晶表示装置においてバックライトからの距離に応じてバックライトからの照射光の光量が異なることに起因する輝度ムラを補正するために、バックライトからの距離に応じた係数を映像信号に乗算することで輝度ムラの補正を図ることが記載されている。
【先行技術文献】
【特許文献】
【０００７】
【特許文献１】特開２０００−２５３２７７号公報（平成１２年９月１４日公開）
【発明の概要】
【発明が解決しようとする課題】
【０００８】
しかしながら、上記特許文献１の技術では、乗算器等を備える必要があるので、回路構成の複雑化および回路規模の増大を招いてしまう必要という問題がある。また、バックライトからの距離に応じて垂直ラインに属する各画素を一律に補正し、これら各画素の階調をフレーム間で一律に変化させているため、フリッカーが発生しやすいという問題がある。特に、上記特許文献１では、８ビット入力データを圧縮して最終的に６ビットデータに入力階調を落として出力するため、フリッカーの問題が特に顕著になる。
【０００９】
また、携帯型の電子機器等に備えられる中型・小型の表示装置などにはＲＧＢ各色６ｂｉｔの映像信号を用いて表示を行うものがあるが、これらの表示装置では映像信号における各階調間の輝度値の幅がＲＧＢ各色８ｂｉｔ等の表示装置に比べて大きくなる。このため、輝度ムラを補正するための補正値の大きさが映像信号の１階調に相当する値未満である場合が多く、そのような場合には補正量が不足したり補正量が多すぎたりして輝度ムラを適切に補正できない。
【００１０】
本発明は、上記の問題点に鑑みてなされたものであり、その目的は、簡単な回路で表示装置の輝度ムラを適切に補正することにある。
【課題を解決するための手段】
【００１１】
本発明の表示装置は、上記の課題を解決するために、表示用画像データに応じた画像を表示するための表示画面と、上記表示画面の各画素の表示状態を制御する駆動制御部とを備えた表示装置であって、上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための上記検査用画像データに基づいて作成された補正データを記憶する補正データ記憶部と、上記表示用画像データに応じた画像を上記表示画面に表示させる際に、上記補正データ記憶部に記憶している補正データに基づいて上記補正領域に含まれる画素のうちの少なくとも一部の画素の階調値を変化させるように上記表示用画像データを補正する画像データ補正部とを備え、上記画像データ補正部は、上記補正領域に含まれる画素のうちの一部の画素を調整補正画素として選択し、調整補正画素に対する階調値の補正量を当該補正領域に含まれる調整補正画素以外の画素に対する階調値の補正量と異ならせ、上記駆動制御部は、上記画像データ補正部によって補正された表示用画像データに応じた画像を表示させるように上記各画素の表示状態を制御することを特徴としている。
【００１２】
上記の構成によれば、表示画面に検査用画像データに応じた画像を表示させた際に当該検査用画像データに対応する適正輝度値と異なる輝度値の画像が表示された領域である輝度ムラ領域のうちの少なくとも一部の輝度ムラ領域について、表示用画像データに応じた画像を表示する際の輝度値と当該表示用画像データに対応する適正輝度値との差を小さくするように、表示用画像データにおける上記少なくとも一部の輝度ムラ領域に対応する領域または当該輝度ムラ領域とその周辺領域を含む領域である補正領域に含まれる画素のデータを補正するための上記検査用画像データに基づいて作成された補正データを補正データ記憶部に記憶させておき、表示用画像データに応じた画像を上記表示画面に表示させる際に、画像データ補正部が、補正データ記憶部に記憶している補正データに基づいて補正領域に含まれる画素のうちの少なくとも一部の画素の階調値を変化させるように表示用画像データを補正する。この際、画像データ補正部は、補正領域に含まれる画素のうちの一部の画素を調整補正画素として選択し、調整補正画素に対する階調値の補正量を当該補正領域に含まれる調整補正画素以外の画素に対する階調値の補正量と異ならせる。
【００１３】
これにより、視認される画像を補正領域内の全画素の輝度値を表示用画像データの１階調分に相当する輝度値未満（あるいは表示用画像データの小数部分が０でない階調値に相当する輝度値）だけ一律に変化させた場合の画像に近づけることができる。すなわち、補正領域の全画素の輝度値を擬似的に表示用画像データの１階調分に相当する輝度値未満（あるいは表示用画像データの小数部分が０でない階調値に相当する輝度値）だけ補正することができる。したがって、輝度ムラが視認されることをより適切に防止することができる。
【００１４】
また、上記画像データ補正部は、上記調整補正画素同士が上記補正領域内において密集せずに分散するように各調整補正画素を選択する構成としてもよい。
【００１５】
上記の構成によれば、補正領域内における調整補正画素の位置を分散させることにより、視認される画像を当該補正領域の全画素の輝度値を表示用画像データの１階調分に相当する輝度値未満（あるいは表示用画像データの小数部分が０でない階調値に相当する輝度値）だけ一律に補正した場合により近づけることができる。
【００１６】
また、上記画像データ補正部は、上記調整補正画素として選択する画素を上記補正領域内において所定期間毎に変更する構成としてもよい。
【００１７】
上記の構成によれば、補正領域内における調整補正画素の位置を所定期間毎に変化させることにより、視認される画像を当該補正領域の全画素の輝度値を表示用画像データの１階調分に相当する輝度値未満（あるいは表示用画像データの小数部分が０でない階調値に相当する輝度値）だけ一律に補正した場合により近づけることができる。
【００１８】
また、上記画像データ補正部は、上記差が上記表示用画像データの１階調に相当する輝度値以下である補正領域について、上記調整補正画素の階調値を少なくとも１階調変化させるように補正する一方、当該補正領域内における上記調整補正画素以外の画素の階調値については補正しない構成としてもよい。例えば、上記画像データ補正部は、上記差の上記表示用画像データの１階調に相当する輝度値に対する比が１以下である補正領域について、当該補正領域に含まれる画素のうち上記比の大きさに応じた割合の画素を上記調整補正画素として選択する構成としてもよい。
【００１９】
上記の各構成によれば、視認される画像を補正領域内の全画素の輝度値を表示用画像データの１階調分に相当する輝度値未満だけ一律に変化させた場合の画像により近づけることができる。すなわち、補正領域の全画素の輝度値を擬似的に表示用画像データの１階調分に相当する輝度値未満だけ補正することができる。
【００２０】
また、上記画像データ補正部は、上記差が上記表示用画像データの１階調に相当する輝度値を超える補正領域について、当該補正領域に含まれる各画素の階調値を少なくとも１階調変化させるとともに、当該補正領域内における上記調整補正画素の階調値の補正量を当該補正領域内における上記調整補正画素以外の画素の階調値の補正量よりも少なくとも１階調大きくする構成としてもよい。例えば、上記画像データ補正部は、上記差の上記表示用画像データの１階調に相当する輝度値に対する比が１を超える補正領域について、当該補正領域に含まれる各画素の階調値を上記比の整数部分の数値に応じて少なくとも１階調変化させるとともに、上記補正領域に含まれる画素のうち上記比の小数部分の数値に応じた割合の画素を上記調整補正画素として選択し、選択した調整補正画素の階調値の補正量を当該補正領域内における調整補正画素以外の画素の階調値の補正量よりも少なくとも１階調大きくする構成としてもよい。
【００２１】
上記の各構成によれば、視認される画像を補正領域内の全画素の輝度値を表示用画像データの小数部分が０でない階調値に相当する輝度値だけ一律に変化させた場合の画像により近づけることができる。すなわち、補正領域の全画素の輝度値を擬似的に表示用画像データの小数部分が０でない階調値に相当する輝度値だけ補正することができる。
【００２２】
また、上記画像データ補正部は、上記差が上記表示用画像データの１階調に相当する輝度値を超える補正領域について、上記調整補正画素の階調値を２階調以上補正する一方、当該補正領域内における上記調整補正画素以外の画素の階調値については補正しない構成としてもよい。例えば、上記画像データ補正部は、上記差の上記表示用画像データの１階調に相当する輝度値に対する比が１を超える補正領域について、上記比を除算した場合の除算結果が１以下となる２以上の整数ｎで上記比を除算し、この除算結果に応じた割合の画素を上記調整補正画素として選択し、選択した調整補正画素の階調値をｎ階調変化させる構成としてもよい。
【００２３】
上記の構成によれば、視認される画像を補正領域内の全画素の輝度値を表示用画像データの小数部分が０でない階調値に相当する輝度値だけ一律に変化させた場合の画像により近づけることができる。すなわち、補正領域の全画素の輝度値を擬似的に表示用画像データの小数部分が０でない階調値に相当する輝度値だけ補正することができる。
【００２４】
また、上記補正データには、上記補正領域の位置、または位置および範囲を示す情報と、上記差の上記表示用画像データの１階調に相当する輝度値に対する比を示す情報または上記補正領域に含まれる画素の数に対する上記調整補正画素の数の割合を示す情報または比の大きさに応じて上記補正領域を複数のグループのうちのいずれかに分類した分類結果を示す情報とが含まれており、上記画像データ補正部は、上記補正領域に含まれる画素のうち上記補正データに含まれる上記比または上記割合または上記分類結果に応じた数の画素を上記調整補正画素として選択する構成としてもよい。
【００２５】
上記の構成によれば、補正領域に対応する輝度ムラ領域の輝度値のずれの程度に応じた数の調整補正画素を選択することができるので、輝度ムラが視認されることをより適切に防止することができる。
【００２６】
また、上記補正データには、上記補正領域の位置、または位置および範囲を示す情報と、上記差の上記表示用画像データの１階調に相当する輝度値に対する比の大きさに応じて上記補正領域を複数のグループのうちのいずれかに分類した分類結果を示す情報とが含まれており、上記画像データ補正部は、上記補正データと、上記各グループに対応して予め定められた上記調整補正画素の配置パターンとに基づいて上記調整補正画素を選択する構成としてもよい。
【００２７】
上記の構成によれば、補正領域に対応する輝度ムラ領域の輝度値のずれの程度に応じた数の調整補正画素を選択することができるので、輝度ムラが視認されることをより適切に防止することができる。
【００２８】
また、上記画像データ補正部は、上記表示画面において垂直方向または水平方向に延伸するように存在するスジ状の輝度ムラを補正するための第１補正部と、上記表示画面において局所的に存在する斑点状の輝度ムラを補正するための第２補正部とを備えている構成としてもよい。
【００２９】
上記の構成によれば、スジ状の輝度ムラと斑点状の輝度ムラの両方について、輝度ムラとして視認されにくいように補正することができる。また、例えば、スジ状の輝度ムラを補正するための補正データのデータ形式や補正画素の決定アルゴリズムと、斑点状の輝度ムラを補正するための補正データのデータ形式や補正画素の決定アルゴリズムとが異なる場合であっても、これら両補正データに基づく補正処理を効率よく行うことができる。
【００３０】
本発明の輝度ムラ補正方法は、上記の課題を解決するために、表示用画像データに応じた画像を表示するための表示画面を備えた表示装置における上記表示画面の輝度ムラを補正する輝度ムラ補正方法であって、上記表示画面に検査用画像データに応じた画像を表示させた際に上記検査用画像データに対応する適正輝度値と異なる輝度値の画像が表示された領域である輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための上記検査用画像データに基づいて作成された補正データを記憶する補正データ記憶工程と、上記表示用画像データに応じた画像を上記表示画面に表示させる際に、上記補正データ記憶工程で記憶した補正データに基づいて上記補正領域に含まれる画素のうちの少なくとも一部の画素の階調値を変化させるように上記表示用画像データを補正する画像データ補正工程と、上記画像データ補正工程によって補正された表示用画像データに応じた画像を表示させるように上記各画素の表示状態を制御する駆動制御工程とを含み、上記画像データ補正工程では、上記補正領域に含まれる画素のうちの一部の画素を調整補正画素として選択し、調整補正画素に対する階調値の補正量を当該補正領域に含まれる調整補正画素以外の画素に対する階調値の補正量と異ならせることを特徴としている。
【００３１】
上記の方法によれば、表示画面に検査用画像データに応じた画像を表示させた際に当該検査用画像データに対応する適正輝度値と異なる輝度値の画像が表示された領域である輝度ムラ領域のうちの少なくとも一部の輝度ムラ領域について、表示用画像データに応じた画像を表示する際の輝度値と当該表示用画像データに対応する適正輝度値との差を小さくするように、表示用画像データにおける上記少なくとも一部の輝度ムラ領域に対応する領域または当該輝度ムラ領域とその周辺領域を含む領域である補正領域に含まれる画素のデータを補正するための上記検査用画像データに基づいて作成された補正データを記憶しておき、表示用画像データに応じた画像を上記表示画面に表示させる際に、記憶しておいた上記補正データに基づいて補正領域に含まれる画素のうちの少なくとも一部の画素の階調値を変化させるように表示用画像データを補正する。また、補正領域に含まれる画素のうちの一部の画素を調整補正画素として選択し、調整補正画素に対する階調値の補正量を当該補正領域に含まれる調整補正画素以外の画素に対する階調値の補正量と異ならせる。
【００３２】
これにより、視認される画像を補正領域内の全画素の輝度値を表示用画像データの１階調分に相当する輝度値未満（あるいは表示用画像データの小数部分が０でない階調値に相当する輝度値）だけ一律に変化させた場合の画像に近づけることができる。すなわち、補正領域の全画素の輝度値を擬似的に表示用画像データの１階調分に相当する輝度値未満（あるいは表示用画像データの小数部分が０でない階調値に相当する輝度値）だけ補正することができる。したがって、輝度ムラが視認されることをより適切に防止することができる。
【００３３】
本発明の補正データ作成装置は、上記したいずれかの表示装置における上記補正データ記憶部に記憶させるための上記補正データを作成する補正データ作成装置であって、検査用画像データに応じた画像が表示されている状態の上記表示画面を撮像して得られる撮像データにおける各画素の輝度値あるいは各画素を複数の画素毎に分割した各画素群の輝度値と上記検査用画像データに対応する適正輝度値との差を算出し、算出した上記差の大きさが予め定められた閾値以上である画素あるいは画素群の集合からなる領域を輝度ムラ領域として検出する輝度ムラ検出部と、上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成部とを備えており、上記補正データ生成部は、上記補正領域の位置および範囲を示す情報と、上記差の上記表示用画像データの１階調に相当する輝度値に対する比、上記比の大きさに応じて算出される上記補正領域に含まれる画素の数に対する選択すべき上記調整補正画素の数の割合、および上記差の上記表示用画像データの１階調に相当する輝度値に対する比の大きさに応じて複数のグループのうちのいずれかに分類した分類結果のうちの少なくとも１つを示す情報とを上記補正データに含めることを特徴としている。
【００３４】
また、本発明の補正データ作成方法は、上記したいずれかの表示装置における上記補正データ記憶部に記憶させるための上記補正データを作成する補正データ作成方法であって、検査用画像データに応じた画像を上記表示画面に表示させる工程と、上記検査用画像データに応じた画像が表示されている状態の上記表示画面を撮像して撮像データを取得する工程と、上記撮像データにおける各画素の輝度値あるいは各画素を複数の画素毎に分割した各画素群の輝度値と上記検査用画像データに対応する適正輝度値との差を算出し、算出した上記差の大きさが予め定められた閾値以上である画素あるいは画素群の集合からなる領域を輝度ムラ領域として検出する輝度ムラ検出工程と、上記輝度ムラ領域のうちの少なくとも一部の輝度ムラ領域について、上記表示用画像データに応じた画像を表示する際の輝度値と当該表示用画像データに対応する適正輝度値との差を小さくするように、上記表示用画像データにおける上記少なくとも一部の輝度ムラ領域に対応する領域または当該輝度ムラ領域とその周辺領域を含む領域である補正領域に含まれる画素のデータを補正するための補正データを上記検査用画像データに基づいて作成する補正データ生成工程とを含み、上記補正データ生成工程では、上記補正領域の位置および範囲を示す情報と、上記差の上記表示用画像データの１階調に相当する輝度値に対する比、上記比の大きさに応じて算出される上記補正領域に含まれる画素の数に対する選択すべき上記調整補正画素の数の割合、および上記差の上記表示用画像データの１階調に相当する輝度値に対する比の大きさに応じて複数のグループのうちのいずれかに分類した分類結果のうちの少なくとも１つを示す情報とを上記補正データに含めることを特徴としている。
【００３５】
上記の補正データ作成装置および補正データ作成方法によれば、上記差の上記表示用画像データの１階調に相当する輝度値に対する比、上記比の大きさに応じて算出される上記補正領域に含まれる画素の数に対する選択すべき上記調整補正画素の数の割合、および上記差の上記表示用画像データの１階調に相当する輝度値に対する比の大きさに応じて複数のグループのうちのいずれかに分類した分類結果のうちの少なくとも１つを示す情報を含む補正データを作成することができる。したがって、上記表示装置において表示用画像データに応じた画像を表示させる際、この補正データに基づいて上記調整補正画素を選択することができ、輝度ムラが視認されにくくなるように適切に補正することができる。
【００３６】
また、本発明の補正データ作成装置は、上記撮像データにおける注目画素または注目画素群を含む所定範囲の領域に含まれる画素の輝度値の平均値を上記注目画素または注目画素群の輝度値に置き換えた上記注目画素または上記注目画素群の移動平均値を算出する処理を、注目画素または注目画素群を移動させながら表示画面全体について順次行う移動平均化処理部を備え、上記輝度ムラ検出部は、上記撮像データにおける各画素または各画素群についての上記移動平均値を当該各画素または各画素群の適正輝度値とみなして輝度ムラ領域の検出を行う構成としてもよい。
【００３７】
上記の構成によれば、表示画面上の位置によって適正輝度値が異なる場合であっても、各画素あるいは各画素群が輝度ムラ領域に属するか否かを適切に判定することができる。
【００３８】
また、上記輝度ムラ検出部は、上記撮像データの各画素を所定方向に並ぶ画素の集合からなる複数のライン画素群に分類し、各ライン画素群に含まれる各画素の輝度値の平均値を当該ライン画素群の輝度値とし、上記撮像データにおける各ライン画素群の輝度値と当該各ライン画素群についての上記適正輝度値との差の大きさが予め定められた閾値以上であるライン画素群の集合からなる領域を輝度ムラ領域として検出する構成としてもよい。
【００３９】
上記の構成によれば、ライン画素群毎に輝度ムラ領域に属するか否かを判定することができるので、スジ状の輝度ムラを適切に検出することができる。
【００４０】
また、上記表示画面は多数の走査信号線とこれら各走査信号線に交差する多数のデータ信号線とを備え、上記走査信号線および上記データ信号線によって区画される各領域に画素が形成された表示パネルの表示画面であり、上記ライン画素群は、上記走査信号線の延伸方向または上記データ信号線の延伸方向に並ぶ画素の集合からなる構成としてもよい。
【００４１】
上記の構成によれば、表示パネルにおける走査信号線の延伸方向またはデータ信号線の延伸方向に平行なスジ状の輝度ムラを適切に検出することができる。
【００４２】
また、上記補正データ生成部は、上記補正データ生成部は、上記表示画面において局所的に存在する斑点状の輝度ムラに対応する上記補正領域の形状を円形または多角形に近似し、当該補正領域の位置および範囲を示す情報を上記補正データに含める構成としてもよい。
【００４３】
上記の構成によれば、斑点状の輝度ムラに対応する補正領域の形状を円形または多角形に近似し、その位置と範囲を示す情報を上記補正データに含めることにより、補正データのデータサイズを小さくし、表示装置の補正データ記憶部に要求される記憶容量を低減することができる。例えば、補正領域を円形領域に近似する場合には、その円形領域の中心位置および半径を示す情報を補正データに含めればよい。また、補正領域を多角形に近似する場合には、上記多角形の各頂点の位置を補正データに含めるようにしてもよく、上記多角形が正多角形である場合には当該多角形の外接円または内接円の中心位置および半径を補正データに含めるようにしてもよい。
【００４４】
また、上記補正データ生成部は、上記補正領域に含まれる上記調整補正画素に対する階調値の補正量と当該補正領域に含まれる上記調整補正画素以外の画素に対する階調値の補正量を示す情報とを上記補正データに含める構成としてもよい。
【００４５】
上記の構成によれば、補正データに上記補正領域に含まれる上記調整補正画素に対する階調値の補正量と当該補正領域に含まれる上記調整補正画素以外の画素に対する階調値の補正量を示す情報とを含む補正データを作成するので、表示装置において上記各補正量を算出する必要がなくなるため、表示装置の構成を簡略化できる。
【００４６】
また、上記補正データ生成部は、上記補正領域を複数のブロックに分割し、上記撮像データにおける上記各ブロックの輝度値と適正輝度値との差、および上記差の上記表示用画像データの１階調に相当する輝度値に対する比を算出し、上記比、上記割合、および上記分類結果のうちの少なくとも１つを示す情報を、上記ブロック毎に生成して上記補正データに含める構成としてもよい。
【００４７】
上記の構成によれば、補正領域をさらに複数のブロックに分割したブロック毎に補正の程度を設定することができる。
【発明の効果】
【００４８】
以上のように、本発明の表示装置は、上記画像データ補正部が、上記補正領域に含まれる画素のうちの一部の画素を調整補正画素として選択し、調整補正画素に対する階調値の補正量を当該補正領域に含まれる調整補正画素以外の画素に対する階調値の補正量と異ならせる。また、本発明の輝度ムラ補正方法は、上記画像データ補正工程では、上記補正領域に含まれる画素のうちの一部の画素を調整補正画素として選択し、調整補正画素に対する階調値の補正量を当該補正領域に含まれる調整補正画素以外の画素に対する階調値の補正量と異ならせる。
【００４９】
それゆえ、視認される画像を補正領域内の全画素の輝度値を表示用画像データの１階調分に相当する輝度値未満（あるいは表示用画像データの小数部分が０でない階調値に相当する輝度値）だけ一律に変化させた場合の画像により近づけることができる。したがって、輝度ムラが視認されることをより適切に防止することができる。
【図面の簡単な説明】
【００５０】
【図１】本発明の一実施形態にかかる表示装置における画像データの補正方法を示す説明図である。
【図２】本発明の一実施形態にかかる補正データ作成装置の構成を示すブロック図である。
【図３】図２に示した補正データ作成装置において撮像データから抽出される輝度データ、およびこの輝度データから算出される移動平均値の一例を示すグラフである。
【図４】図３に示した輝度データからバックライトに起因する輝度ムラ等の緩やかに変化する輝度ムラの影響を除去した輝度データ、および表示画面の平均輝度を示すグラフである。
【図５】図２に示した補正データ作成装置における補正データの生成方法を説明するための説明図である。
【図６】図２に示した補正データ作成装置における補正データの生成方法を説明するための説明図である。
【図７】図２に示した補正データ作成装置において生成される補正データにおける補正画素（調整補正画素）および補正しない画素（調整補正画素以外の画素）の一例を示す説明図である。
【図８】本発明の一実施形態にかかる表示装置に備えられる駆動制御部の構成を示すブロック図である。
【図９】図８に示した駆動制御部において設定される補正パターンの一例を示す説明図である。
【図１０】輝度ムラ補正処理の前後の輝度データを示すグラフである。
【図１１】本発明の他の実施形態にかかる補正データ作成装置の構成を示すブロック図である。
【図１２】図１１に示した補正データ作成装置における輝度ムラ領域の円形領域への近似の概念を示す説明図である。
【図１３】本発明の他の実施形態にかかる表示装置に備えられる駆動制御部の構成を示すブロック図である。
【図１４】（ａ）および（ｂ）は、図１３に示した駆動制御部において設定される補正パターンの一例を示す説明図である。
【図１５】（ａ）および（ｂ）は、図１３に示した駆動制御部において設定される補正パターンの一例を示す説明図である。
【図１６】図１３に示した駆動制御部における補正パターンの設定方法の一例を示す説明図である。
【図１７】図１３に示した駆動制御部における補正パターンの設定方法の一例を示す説明図である。
【図１８】本発明のさらに他の実施形態にかかる補正データ作成装置の構成を示すブロック図である。
【図１９】本発明のさらに他の実施形態にかかる表示装置に備えられる駆動制御部の構成を示すブロック図である。
【発明を実施するための形態】
【００５１】
〔実施形態１〕
本発明の一実施形態について説明する。なお、本実施形態では、携帯電話等のモバイル型の装置に備えられる透過型の液晶表示装置であって、ＲＧＢの各色を６ビットで表現した画像データに基づいて表示を行う表示装置における、ソースライン（データライン）の延伸方向に平行な方向のスジ状ムラを補正する場合の例について主に説明する。ただし、本発明の適用対象はこれに限るものではない。
【００５２】
図２は、本実施形態にかかる補正データ作成装置１０の構成を示すブロック図である。この図に示すように、補正データ作成装置１０は、表示データ生成部１１、撮像部１２、輝度データ抽出部１３、移動平均化処理部１４、輝度ムラ検出部１５、および補正データ生成部１６を備えている。
【００５３】
表示データ生成部１１は、表示パネル２１における輝度ムラの有無の検査を行う際に、この表示パネルに表示させる表示データを生成し、表示パネル２１の駆動制御部２２に出力する。一般に、輝度ムラは中間調の画像を同一階調で全面均一表示をさせた場合に視認されやすい。このため、本実施形態では、表示データ生成部１１は、輝度ムラを検出するために表示パネルの全画素に中間調の同一階調の画像を表示させるための画像データである検査用画像データを生成する。
【００５４】
撮像部１２は、表示データ生成部１１によって生成された検査用画像データに応じた画像が表示されている表示パネル２１の表示面を撮像して撮像データを取得する。撮像部１２としては、例えばＣＣＤカメラなどを用いることができる。
【００５５】
輝度データ抽出部１３は、撮像部１２の取得した撮像データから輝度データを抽出する。
【００５６】
移動平均化処理部１４は、輝度データ抽出部１３の抽出した輝度データにおける上記表示画面のソースラインに対応する領域（あるいはソースラインの延伸方向に平行な所定幅の領域）の画素の集合であるライン画素群について、当該ライン画素群に含まれる各画素の輝度の平均値を当該ライン画素群の輝度値として算出する。また、移動平均化処理部１４は、上記各ライン画素群の輝度値を、そのライン画素群を含む所定範囲の周辺領域（例えば当該ライン画素群を中心とする当該ライン画素群の延伸方向に垂直な方向の３ｍｍの幅の領域）に含まれる各画素の輝度値で平均化した移動平均化データを算出する移動平均化処理を行う。
【００５７】
図３の実線は輝度データ抽出部１３の抽出した輝度データに基づいて算出した各ライン画素群の輝度値を示すグラフであり、破線は上記の各ライン画素群の輝度値の移動平均値を示すグラフである。上記移動平均値は、バックライトに起因する輝度ムラなどの緩やかな輝度ムラを除去し、ムラと認識されやすい局所的な輝度ムラを抽出するために求めるもので、ムラのない状態の輝度を示す。また、図４の実線は、図３における各ライン画素群の輝度値から上記移動平均値を引いた値にパネル輝度の平均値（表示画面全体の輝度の平均値）を加えたもので、バックライトに起因する輝度ムラ等の緩やかに変化する輝度ムラの影響を除去した後の各ライン画素群の輝度値を示すグラフであり、破線はパネル輝度の平均値を示すグラフである。なお、これら各グラフにおける横軸は各ライン画素群の位置を示しており、縦軸は各ライン画素群の輝度値（各ライン画素群に属する画素の輝度値の平均値）示している。
【００５８】
輝度ムラ検出部１５は、輝度データ抽出部１３が撮像データから抽出した各ライン画素群の輝度値と、その移動平均値とに基づいて輝度ムラが生じている領域を検出する。
【００５９】
具体的には、輝度ムラ検出部１５は、輝度データ抽出部１３が撮像データから抽出した輝度データにおける各ライン画素群の輝度値と、その移動平均値との差を算出し、算出した差の絶対値が所定の閾値以上であるライン画素群の集合からなる領域を輝度ムラとして検出する。つまり、各ライン画素群の輝度値の移動平均値を当該各ライン画素群についての輝度ムラが生じていない場合の適正輝度値とみなして各ライン画素群の輝度値と比較することにより、輝度ムラが生じている領域を検出する。これにより、バックライトの影響等を除去して輝度ムラを適切に検出することができる。
【００６０】
すなわち、透過型の液晶表示装置では、一般にバックライトからの照射光を表示パネルに均一に照射するために拡散板等が備えられるものの、完全に均一化することは困難なため、バックライトに対する相対位置に応じてバックライトからの照射光の輝度に差が生じる場合がある。ただし、バックライトに対する相対位置に起因する輝度分布は表示パネルの広範囲にわたって比較的なだらかに変化するので（図３における破線部の傾き参照）、輝度ムラとして視認されることは少ない。つまり、人間の目に輝度ムラと認識されるのは、局所的に大きく輝度が変化している場合であり、空間的に大きな周期で輝度が連続的に変化している場合は、ムラと認識されにくい。このため、バックライトからの照射光の輝度分布に起因する輝度の差は輝度ムラとして視認されることは少ない。
【００６１】
一方で、バックライトの影響を考慮せずに、輝度ムラが生じていない適正領域の輝度値を表示画面の全領域について一定値とみなすと、輝度ムラとして視認されない領域が輝度ムラとして検出されたり、輝度ムラとして視認される領域が適正領域として検出されたりする場合が生じる。つまり、輝度ムラが生じていない適正領域の輝度値（適正輝度値）は表示パネル上の位置に応じて異なっている。
【００６２】
そこで、本実施形態では、輝度データ抽出部１３の抽出した輝度データに対して移動平均化処理部１４が移動平均化処理を施し、各ライン画素群の輝度値の移動平均値を当該各ライン画素群が適正領域である場合の輝度値（適正輝度値）とみなす。これにより、バックライトからの照射光の輝度分布の影響を除去し、輝度ムラとして視認されやすい、隣接領域の輝度との差が急激に変化している領域を輝度ムラとして適切かつ容易に検出することができる。
【００６３】
なお、移動平均化処理において平均化する範囲（ライン画素群の延伸方向に垂直な方向の範囲）は、スジ状の輝度ムラ領域の幅よりも十分に広く、当該範囲内の各位置におけるバックライトからの照射光の輝度値の差が輝度ムラ領域における輝度値の適正輝度値からのずれに対して十分に小さくなる範囲に設定することが好ましい。具体的には、携帯電話等のモバイル機器に備えられる数百画素×数百画素程度の表示パネルの場合、１ｍｍ以上５ｍｍ以下の範囲に設定することが好ましい。本実施形態では、３６０画素×４８０画素の表示パネル２１を用いており、上記範囲を３ｍｍとした。
【００６４】
補正データ生成部１６は、輝度ムラ検出部１５の検出した輝度ムラの情報に基づいて、輝度ムラを視認されにくくするための補正データを生成し、生成した補正データに圧縮処理を施して駆動制御部２２に出力する。なお、輝度ムラ領域に含まれるライン画素群の輝度値のピーク値と適正輝度値との差が所定の基準値未満の場合にはスジ状の輝度ムラは存在しないものみなし、補正データを作成しないようにしてもよい。
【００６５】
本実施形態では、上記したように、ＲＧＢの各色を６ビットで表現した画像データに基づいて表示を行う表示装置２０を用いている。この種の低階調パネルでは、輝度ムラの検出結果に基づいて単純に表示用画像データの階調を調節するだけでは、輝度ムラを適切に補正できない場合がある。これは、輝度ムラとして認識される輝度値のずれの最小値は、６ビット階調のパネルなら表示用画像データにおける１階調分に相当する輝度値未満であるため、例えば暗い輝度ムラを補正しようとしてデータを１階調上げるように補正すると補正量が大きくなりすぎて明るい輝度ムラとして視認されてしまったり、逆に明るい輝度ムラを補正しようとしてデータを１階調下げるように補正すると暗い輝度ムラとして視認されてしまったりするためである。
【００６６】
そこで、補正データ生成部１６は、適正輝度値に対する輝度のずれが画像データの１階調分に相当する輝度値未満であってもこの輝度のずれに起因する輝度ムラが視認されにくくするための補正データを生成する。
【００６７】
図５は、補正パターンの生成方法を説明するための説明図である。より具体的には、図５は、各画素に対して階調値９，１０，１１の検査用画像データをそれぞれ表示させ、これら各階調値に応じた画像を表示した状態の表示パネル２１を撮像した撮像データに基づいて抽出した各ライン画素群の輝度値、およびパネル輝度の平均値を示すグラフである。なお、図５では、図４と同様の処理を施し、バックライトに起因する輝度ムラ等の緩やかに変化する輝度ムラの影響を除去した後の各ライン画素群の輝度値を示している。
【００６８】
輝度ムラ検出部１５は、撮像データから抽出した輝度データにおける適正輝度値に対する輝度値の差の絶対値が所定の閾値以上である部分を輝度ムラとして検出する。具体的には、上記差が正の値であって絶対値が閾値以上である部分を明るいムラとして検出し、上記差が負の値であって絶対値が閾値以上である部分を暗いムラとして検出する。図５の例では、Ｃ１，Ｃ２で示した部分が明るい輝度ムラとして検出され、Ｄ１，Ｄ２で示した部分が暗い輝度ムラとして検出される。
【００６９】
次に、補正データ生成部１６は、各輝度ムラ部分の値と適正輝度値との差を検出する。図５の例では、輝度ムラＣ１，Ｃ２，Ｄ１，Ｄ２について差ｃ１，ｃ２，ｄ１，ｄ２がそれぞれ検出される。
【００７０】
また、補正データ生成部１６は、基準階調値よりも１階調高い画像データに対する適正部分の輝度値と基準階調値の画像データに対する適正部分の輝度値との差Ａ、および基準階調値の画像データに対する適正部分の輝度値と基準階調値よりも１階調低い画像データに対する適正部分の輝度値との差Ｂとを検出する。
【００７１】
そして、補正データ生成部１６は、明るい輝度ムラＣ１，Ｃ２については当該輝度ムラについての上記差ｃ１，ｃ２と上記差Ｂとの比ｃ１／Ｂ，ｃ２／Ｂをそれぞれ算出し、暗い輝度ムラＤ１，Ｄ２については当該輝度ムラについての上記差ｄ１，ｄ２と上記差Ａとの比ｄ１／Ａ，ｄ２／Ａをそれぞれ算出する。
【００７２】
そして、明るい輝度ムラについての上記比（ｃ１／Ｂ、ｃ２／Ｂ、など）が１以下の場合は、補正データ生成部１６は、明るい輝度ムラに対応するライン画素群に属する画素のうち当該輝度ムラについての上記比に応じた割合の画素（調整補正画素）に対する表示用画像データを１階調低くするための補正データを生成する。
【００７３】
また、上記比（ｃ１／Ｂ、ｃ２／Ｂ、など）が１を超える場合、補正データ生成部１６は、明るい輝度ムラに対応するライン画素群に属する画素に対する表示用画像データを上記比の整数部分に応じた階調値だけ低くするための補正データ、および、上記比の小数部分に応じた割合の画素（調整補正画素）に対する表示用画像データをさらに１階調低くするための補正データを生成する。
【００７４】
図６は、明るい輝度ムラが生じている位置と当該各輝度ムラについての上記比の値との関係の一例を示すグラフである。
【００７５】
補正データ生成部１６は、各輝度ムラ領域を上記比の値に応じてグループ分けする。例えば、図６に示したように、上記比が０．１２５以上０．３７５未満の輝度ムラ領域を補正強度１、上記比が０．３７５以上０．６２５未満の輝度ムラ領域を補正強度２、上記比が０．６２５以上０．８７５未満の輝度ムラ領域を補正強度３、上記比が０．８７５以上１．１２５未満の輝度ムラ領域を補正強度４、上記比が１．１２５以上１．３７５未満の輝度ムラ領域を補正強度５に分類する。
【００７６】
そして、補正強度１の輝度ムラ領域については上記比が０．２５であるものとみなし、４画素に１画素の割合で階調値を１階調下げるための補正データを作成する。例えば、図６に示したｃｋに対応する位置ではｃｋ／Ｂの値が０．１９であることから、補正強度１に分類され、４画素に１画素の割合で階調値を１階調下げるための補正データが作成される。
【００７７】
また、補正強度２の輝度ムラ領域については上記比が０．５であるものとみなし、２画素に１画素の割合で階調値を１階調下げるための補正データを作成する。例えば、図６に示したｃｎに対応する位置ではｃｎ／Ｂの値が０．４４であることから、補正強度２に分類され、２画素に１画素の割合で階調値を１階調下げるための補正データが作成される。
【００７８】
また、補正強度３の輝度ムラ領域については上記比が０．７５であるものとみなし、４画素に３画素の割合で階調値を１階調下げるための補正データを作成する。例えば、図６に示したｃｌに対応する位置ではｃｌ／Ｂの値が０．８０であることから、補正強度３に分類され、４画素に３画素の割合で階調値を１階調下げるための補正データが作成される。
【００７９】
また、補正強度４の輝度ムラ領域については上記比が１であるものとみなし、各画素について階調値を１階調下げるための補正データを作成する。
【００８０】
また、補正強度５の輝度ムラ領域については上記比が１．２５であるものとみなし、各画素の階調値を１階調下げ、４画素に１画素の割合の画素については階調値をさらに１階調下げる（合計２階調下げる）ための補正データを作成する。例えば、図６に示したｃｍに対応する位置ではｃｍ／Ｂの値が１．２９であることから、補正強度５に分類され、各画素の階調値を１階調下げるとともに、４画素に１画素の割合で階調値をさらに１階調下げるための補正データが作成される。
【００８１】
また、上記比（ｃ１／Ｂ、ｃ２／Ｂ、など）が１を超える場合、補正データ生成部１６は、上記比を除算した場合の除算結果が１以下となる２以上の数ｎで上記比を除算し、この除算結果に応じた割合の画素（調整補正画素）に対する表示用画像データをｎ階調低くするための補正データを作成してもよい。例えば、図６に示した補正強度５に属する輝度ムラ領域の場合、上記比が１．２５（＝５／４）であるものとみなし、ｎ＝２で除算した値（５／４÷２＝５／８）を算出し、この除算結果に応じて８画素に５画素の割合で２階調下げるための補正データを作成すればよい。
【００８２】
また、暗い輝度ムラについての上記比（ｄ１／Ａ、ｄ２／Ａ、など）が１以下の場合は、補正データ生成部１６は、暗い輝度ムラに対応するライン画素群に属する画素のうち当該輝度ムラについての上記比に応じた割合の画素に対する表示用画像データを１階調高くするための補正データを生成する。
【００８３】
また、上記比（ｄ１／Ａ、ｄ２／Ａ、など）が１を超える場合、補正データ生成部１６は、暗い輝度ムラに対応するライン画素群に属する画素に対する表示用画像データを上記比の整数部分に応じた階調値だけ高くするための補正データ、および、上記比の小数部分に応じた割合の画素（調整補正画素）に対する表示用画像データをさらに１階調高くするための補正データを生成する。
【００８４】
また、上記比（ｄ１／Ａ、ｄ２／Ａ、など）が１を超える場合、補正データ生成部１６は、上記比を除算した場合の除算結果１以下となる２以上の数ｎで上記比を除算し、この除算結果に応じた割合の画素に対する表示用画像データをｎ階調高くするための補正データを作成してもよい。
【００８５】
なお、図６では上記比が１．３７５以上の場合については図示していないが、１．３７５以上の場合にも上述した方法と同様にして各輝度ムラ領域のグループ分けおよび各輝度ムラ領域に対応する補正データの作成を行えばよい。また、各グループに対応する上記比の幅は図６に示した例に限られるものではない。
【００８６】
したがって、例えば上記比が１以下であった場合、適正輝度値に対する差（適正輝度値からのずれ）が大きい輝度ムラ領域については表示用画像データを１階調補正する画素の割合は大きくなり（表示用画像データを１階調補正する画素が密になり）、適正輝度値に対する差が比較的小さい輝度ムラ領域については表示用画像データを１階調補正する画素の割合は小さくなる（表示用画像データを１階調補正する画素が疎になる）。図７は、補正データにおける上記比が１以下である場合に表示用画像データの階調を１階調補正する画素の例を示す説明図である。
【００８７】
例えば、ｃ１／Ｂ＝１／３の場合、表示用画像データにおける輝度ムラＣ１に対応するソースライン上の画素に対する画像データを、ソースラインの延伸方向に沿って３画素毎に１画素だけ１階調低く補正させるための補正データ（補正対象のソースラインに接続された全画素数に対する調整補正画素の割合を示す画像データ）を生成する。また、ｄ１／Ａ＝１／３の場合、表示用画像データにおける輝度ムラＤ１に対応するソースライン上の画素に対する画像データを、ソースラインの延伸方向に沿って３画素毎に１画素だけ１階調高く補正させるための補正データを生成する。
【００８８】
なお、上記比ｃｉ／Ｂ（ｉは輝度ムラの位置を示す１以上の整数）または上記比ｄｊ／Ａ（ｊは輝度ムラの位置を示す１以上の整数）の大きさに応じて、各輝度ムラ領域における輝度ムラの程度（適正輝度値に対するずれの程度）が予め設定された複数のグループのうちのいずれのグループに属するかを判断し、この判断結果と各グループに対して予め設定された値とに基づいて表示用画像データにおける調整補正画素の割合（あるいは調整補正画素同士の間隔）を設定するようにしてもよい。
【００８９】
また、上記の例では、ｃｉ／Ｂあるいはｄｊ／Ａの値と調整補正画素の割合とを同値にする場合について説明したが、これに限らず、例えばｃｉ／Ｂあるいはｄｊ／Ａの値に予め定められた補正係数を乗じた値に基づいて調整補正画素の割合を設定するようにしてもよい。また、上記補正係数を表示画像データの階調値に応じて設定してもよい。例えば、上述したように輝度ムラは中間調において視認されやすく、黒および白に近い表示の場合には視認されにくいことから、中間調における上記補正係数を黒および白に近い階調における上記補正係数よりも大きく設定してもよい。
【００９０】
このように、上記補正データは、例えば、輝度ムラに対応するソースライン（補正領域の位置）と、当該ソースラインにおける調整補正画素の割合（調整補正画素間隔）と、上記調整補正画素について１階調高くするか低くするかを示す情報とからなる。なお、上記比が１を超える輝度ムラがある場合には、これらの情報に加えて当該輝度ムラに対応する領域に含まれる各画素に対する階調値の補正量（調整補正画素以外の画素に対する補正量）が含まれる。あるいは、上記比が１を超える輝度ムラがある場合には、上記調整補正画素について１階調高くするか低くするかを示す情報に代えて、上記調整補正画素の階調値の補正量（上述したｎの値）、および当該調整補正画素の階調値を高くするか低くするかを示す情報とを含めてもよい。
【００９１】
なお、上記の説明では、補正データ生成部１６が、検出された輝度ムラ領域内の画素のみを補正対象としているが、これに限らず、輝度ムラ領域とその周辺領域（例えば輝度ムラ領域から数画素あるいは数ｍｍ程度の範囲）とを含む領域の画素を補正対象としてもよい。すなわち、輝度ムラ領域を補正領域としてもよく、輝度ムラ領域とその周辺領域とを含む領域を補正領域としてもよい。このように、周辺領域を補正領域に含めることにより、輝度ムラ領域の輪郭をぼかして輝度ムラ領域をより視認されにくくすることができる。
【００９２】
また、必ずしも検出された全ての輝度ムラ領域を補正する必要はなく、検出された輝度ムラ領域のうちの一部の輝度ムラ領域のみを補正するようにしてもよい。例えば、輝度ムラ領域のサイズや適正輝度値からのずれの程度などに応じて視認されやすい輝度ムラ領域のみを抽出して補正するようにしてもよい。
【００９３】
また、補正データ生成部１６は、上記の補正データの作成を、Ｒ（Ｒｅｄ），Ｇ（Ｇｒｅｅｎ），Ｂ（Ｂｌｕｅ）の各副画素についてそれぞれ算出する。
【００９４】
なお、Ｒ，Ｇ，Ｂのうちの１色（例えばＧ）についての補正データを生成し、それを他の色について共用してもよい。スジ状の輝度ムラは所定範囲の領域内において連続的に発生する場合が多いので、Ｒ，Ｇ，Ｂのうちの１色について生成した補正データを、両隣の他の色の副画素に適用しても、Ｒ，Ｇ，Ｂの各色についてそれぞれ補正データを個別に生成する場合と比較して画質の程度はほとんど変わらない。また、Ｒ，Ｇ，Ｂの各色について共通の補正データを用いることにより、これら各色について個別の補正データを生成する場合に比べて、後述する表示装置２０に備えられる補正データを格納するための補正データ記憶部３１に要求される記憶容量を低減できる。
【００９５】
その後、補正データ生成部１６は、生成した補正データに圧縮処理を施し、圧縮処理後の補正データを表示装置２０の駆動制御部２２に出力する。なお、圧縮処理の方法および圧縮後の補正データのサイズは特に限定されるものではなく、表示装置２０に備えられる補正データ記憶部３１の記憶容量などに応じて適宜設定すればよい。例えば、ランレングス符号化などの従来から公知の方法を用いて圧縮処理を行ってもよい。ランレングス符号化では、例えば、圧縮前の補正データが００１００００００００１１・・・である場合、符号化後のデータは[0,2][1,1][0,8][1,2]となる。あるいは、０の値を省略して[2][1,1][8][1,2]と表現することもできる。
【００９６】
このように補正データを圧縮することにより、圧縮処理の方法にもよるが、例えば３６０画素×４８０画素の表示パネルを有する表示装置に対する補正データを例えば１ｋｂｉｔ程度の非常に少ない記憶容量で記憶させることができる。したがって、これらの表示装置に備えられる既存のメモリの空き領域を補正データ記憶部３１として用いることができる。
【００９７】
図８は、表示装置２０に備えられる駆動制御部２２の構成を示すブロック図である。この図に示すように、駆動制御部２２は、補正データ記憶部３１、復号部３２、空間分散処理部３３、時間分散処理部３４、加算処理部３５、第１ラッチ部３６、第２ラッチ部３７、およびＤ／Ａ変換部３８を備えている。なお、空間分散処理部３３、時間分散処理部３４、および加算処理部３５によって画像データ補正部が形成されている。
【００９８】
補正データ記憶部３１は、表示装置２０の製造時に補正データ作成装置１０から入力される補正データを記憶する不揮発性のメモリである。なお、本実施形態では、補正データ記憶部３１に、補正データ作成装置１０によって圧縮処理が施された補正データを格納するようになっている。
【００９９】
復号部３２は、表示装置２０において表示用画像データに応じた画像を表示パネル２１に表示させる際、補正データ記憶部３１に記憶されている補正データを読み出し、この補正データを復号して空間分散処理部３３に出力する。なお、補正データ記憶部３１の記憶容量に余裕がある場合は、補正データ生成部１６が補正データを圧縮せずに補正データ記憶部３１に記憶させるようにしてもよく、その場合、復号部３２を省略してもよい。
【０１００】
空間分散処理部３３は、復号部３２から入力された補正データに基づいて、輝度ムラ領域に対応する各ソースラインにおける調整補正画素の位置を設定し、この設定結果を示す補正データを時間分散処理部３４に出力する。具体的には、ソースラインの端部から何画素目の画素を調整補正画素とするか（オフセット値）を決定するとともに、当該画素および当該画素から所定間隔毎の画素を調整補正画素として設定する。
【０１０１】
なお、隣接する複数のソースラインにまたがって輝度ムラが生じている場合には、これら各ソースラインにおける調整補正画素同士のソースラインの延伸方向についての位置を隣接するソースライン間で異ならせて分散させるように各調整補正画素の位置を設定してもよい。図９は、この場合の補正データの一例を示す説明図である。
【０１０２】
時間分散処理部３４は、空間分散処理部３３から入力される補正データに基づいて、各ソースラインにおける調整補正画素の位置を、所定期間毎（例えば１フレーム毎）に変更するように設定し、この設定結果を示す補正データを加算処理部３５に出力する。図１は、時間分散処理部３４によって設定された補正データの一例を示す説明図である。この図に示す例では、時間分散処理部３４は、調整補正画素の割合（調整補正画素同士のピッチ）を一定に保ったままで調整補正画素の位置（オフセット値）を１フレーム毎にソースラインの延伸方向に変化させている。
【０１０３】
なお、空間分散処理部３３と時間分散処理部３４の順番は逆であってもよい。すなわち、復号部３２から時間分散処理部３４に補正データが入力され、時間分散処理部３４から空間分散処理部３３に補正データが入力される構成であってもよい。
【０１０４】
加算処理部３５は、表示装置２０に入力される表示用画像データに、時間分散処理部３４から入力される補正データを加算することにより表示用画像データを補正し、補正後の表示用画像データを第１ラッチ部３６に出力する。つまり、表示用画像データにおける各画素のうち、補正データによって示される調整補正画素に対して、表示用画像データの階調値を少なくとも１階調変化させる（補正データに応じて少なくとも１階調高くするか低くする）補正処理を行う。
【０１０５】
具体的には、上記比が１以下である輝度ムラ領域については調整補正画素の階調値を１階調変化させる一方、その他の画素については補正しない。また、上記比が１を超える輝度ムラ領域については、当該各画素の階調値を上記比の整数部分に応じた階調値だけ変化させるとともに、調整補正画素の階調値をさらに１階調変化させる。あるいは、上記比が１を超える輝度ムラ領域については、調整補正画素の階調値を上記ｎの値に応じた階調値だけ変化させる一方、その他の画素については補正しないようにしてもよい。
【０１０６】
第１ラッチ部３６は、加算処理部３５から出力された補正後の表示用画像データをクロック信号に基づいて生成されるサンプリングパルスに同期して順次サンプリングし、１ライン（１ゲートライン）分の画像データをラッチする。第２ラッチ部３７は、第１ラッチ部３６にラッチされた１ライン分の画像データを再ラッチする。
【０１０７】
Ｄ／Ａ変換部（デジタル／アナログ変換部）３８は、第２ラッチ部３７にラッチされた１ライン分の画像データをアナログ信号に変換し、表示パネル２１の各ソースラインに所定のタイミングで出力する。
【０１０８】
表示パネル２１は、多数のゲートライン（走査信号線）と多数のソースライン（データ信号線）とを備え、これらゲートラインおよびソースラインによって区画されて成るマトリクス状の各領域にそれぞれ画素が設けられている（いずれも図示せず）。
【０１０９】
各画素は、スイッチング用トランジスタと画素容量とからなり、画素容量は液晶容量と必要に応じて付加される補助容量とから構成されている（いずれも図示せず）。スイッチング用トランジスタは、ゲートがゲートラインに接続され、ソースがソースラインに接続され、ドレインが画素容量の一方の電極に接続されている。なお、画素容量の他方の電極は、全画素に共通の共通電極線に接続されている。
【０１１０】
これにより、ゲートドライバ（図示せず）によってゲートラインが選択されると、選択されたゲートラインに接続されている各画素のスイッチング用トランジスタが導通し、それと同期して駆動制御部２２のＤ／Ａ変換部３８から各ソースラインに印加された電圧が対応する画素容量に印加される。
【０１１１】
なお、ゲートラインの選択期間が終了して、スイッチング用トランジスタが遮断されている間、画素容量は該遮断時の電圧を保持し続ける。液晶の透過率または反射率は、液晶容量に印加される電圧によって変化するので、ゲートラインを選択し、ソースラインに画像データに応じた電圧を印加することで、画素の表示状態を画像データに合わせて変化させることができる。
【０１１２】
以上のように、本実施形態にかかる補正データ作成装置１０は、表示パネル２１の全画素に同一階調の検査用画像データに応じた画像を表示させてその表示画面を撮像し、撮像データから輝度データを抽出し、抽出した輝度データからスジ状の輝度ムラを抽出する。そして、表示用画像データにおける輝度ムラ領域あるいは輝度ムラ領域とその周辺領域とを含む領域である補正領域に対応するソースラインに接続された各画素のうち、輝度ムラの程度に応じた割合の画素を調整補正画素として選択し、調整補正画素に対する階調値の補正量を当該補正領域に含まれる調整補正画素以外の画素に対する階調値の補正量と異ならせるための補正データを生成して表示装置２０に備えられる補正データ記憶部３１に記憶させる。
【０１１３】
そして、表示装置２０は、表示用画像データに応じた画像を表示パネル２１に表示させる際、補正データ記憶部３１に記憶されている補正データに基づいて調整補正画素を選択し、選択した調整補正画素の階調値の補正量を他の画素に対する階調値の補正量と異ならせる。
【０１１４】
このように、補正領域に含まれる画素のうち調整補正画素の補正量を他の画素の補正量と異ならせることにより、当該補正領域の全画素の輝度値を表示用画像データの１階調分に相当する輝度値未満（あるいは表示用画像データの小数部分が０でない階調値に相当する輝度値）だけ一律に補正した場合と略同様に視認させることができる。すなわち、補正領域の全画素の輝度値を擬似的に表示用画像データの１階調分に相当する輝度値未満（あるいは表示用画像データの小数部分が０でない階調値に相当する輝度値）の中間調で補正することができる。したがって、輝度ムラを精度よく補正し、輝度ムラ視認されることをより適切に防止することができる。
【０１１５】
図１０は、補正処理を行っていない検査用画像データに応じた画像を表示させた状態の表示パネル２１を撮像した撮像データから得られた輝度データと、補正処理を施した検査用画像データに応じた画像を表示させた表示パネル２１を撮像した撮像データから得られた輝度データの輝度データとを示すグラフである。なお、横軸は各ライン画素群の位置を示しており、縦軸は各ライン画素群の輝度値（上記各ライン画素群に属する画素の輝度値の平均値）を示している。これらのグラフからも明らかなように、本実施形態にかかる補正方法により、スジ状の輝度ムラが視認されないように画像データを補正することができる。
【０１１６】
また、本実施形態では、調整補正画素の位置を１フレーム毎に変化させる。つまり、調整補正画素の位置を輝度ムラ領域内において空間的かつ時間的に分散させる。
【０１１７】
これにより、視認される画像を、輝度ムラ領域内の全画素の輝度値を表示用画像データの１階調分に相当する輝度値未満（あるいは小数部分が０でない階調値）で一律に変化させた場合の画像により近づけることができる。したがって、輝度ムラが視認されることをより適切に防止することができる。
【０１１８】
なお、本実施形態では、表示装置２０に備えられる補正データ記憶部３１に、輝度ムラ領域の位置を示す情報と、当該輝度ムラ領域に対する調整補正画素の割合（調整補正画素間隔）と、上記調整補正画素について少なくとも１階調高くするか低くするかを示す情報とを記憶させておき、表示装置２０に備えられる空間分散処理部３３および時間分散処理部３４が、表示用画像データに応じた画像を表示させる際に、輝度ムラ領域における調整補正画素の位置を空間的かつ時間的に分散させるように決定している。これにより、補正データのデータサイズを小さくし、補正データ記憶部３１に要求される記憶容量を低減することができる。
【０１１９】
ただし、これに限らず、表示用画像データを表示させる際の調整補正画素の補正データ作成装置１０において予め設定し、各調整補正画素の位置と、各調整補正画素について１階調高くするのか低くするのかを示す情報とを補正データ記憶部３１に記憶させるようにしてもよい。すなわち、空間分散処理部３３および時間分散処理部３４を表示装置２０ではなく補正データ作成装置１０に備えてもよい。この場合、表示装置２０の回路構成を簡略化するとともに、表示用画像データの補正処理にかかる処理速度を高速化することができる。
【０１２０】
また、本実施形態では、ソースラインの延伸方向に平行なスジ状の輝度ムラを補正する場合について説明したが、これに限らず、ゲートラインの延伸方向に平行なスジ状の輝度ムラを補正することもできる。この場合、例えば、撮像データから抽出した輝度データに基づいて各ゲートラインの延伸方向に対応するライン画素群についての輝度値の平均値を検出し、この検出結果に対してライン画素群に垂直な方向について移動平均化処理を行い、これらの処理結果に基づいて輝度ムラの検出を行えばよい。また、輝度ムラの検出結果に基づいて、輝度ムラ領域に対応するゲートラインにおける所定間隔毎の画素を調整補正画素として選択し、選択した調整補正画素の階調値を少なくとも１階調変化させるように画像データを補正すればよい。
【０１２１】
また、本実施形態では、各輝度ムラ領域における適正輝度値に対する輝度値のずれを算出する際、ライン画素群の輝度値の移動平均値を適正輝度値とみなして上記の輝度値のずれを算出する。これにより、例えばバックライトからの照射光の輝度分布などによって表示画面上の位置に応じて適正輝度値が異なる場合であっても、各輝度ムラ領域における適正輝度値に対する輝度値のずれの程度を容易かつ適切に算出することができる。なお、例えば表示画面上の位置に応じた適正輝度値が予めわかっているような場合には、その適正輝度値に基づいて各輝度ムラ領域における輝度値のずれを算出してもよい。
【０１２２】
〔実施形態２〕
本発明の他の実施形態について説明する。なお、説明の便宜上、実施形態１で説明した部材と同様の機能を有する部材については実施形態１と同じ符号を付し、その説明を省略する。
【０１２３】
実施形態１ではスジ状のムラを補正する構成について説明したが、本実施形態では局所的な斑点状のムラ（斑点状ムラ）を補正する場合の構成例について説明する。
【０１２４】
図１１は、本実施形態にかかる補正データ作成装置１０ｂの構成を示すブロック図である。この図に示すように、補正データ作成装置１０ｂは、実施形態１における補正データ作成装置の移動平均化処理部１４、輝度ムラ検出部１５、および補正データ生成部１６に代えて、移動平均化処理部１４ｂ、輝度ムラ検出部１５ｂ、および補正データ生成部１６ｂを備えている。表示データ生成部１１、撮像部１２、および輝度データ抽出部１３の機能は実施形態１と略同様である。
【０１２５】
移動平均化処理部１４ｂは、表示データ生成部１１が表示パネル２１の全域に同一階調（基準階調値。例えば階調値１０）の画像データに対応する画像を表示させ、撮像部１２がそれを撮像した撮像データから輝度データ抽出部１３が抽出した輝度データに対して、各画素の輝度値を、当該各画素を中心とする所定サイズのブロックに含まれる各画素の輝度値の平均値に置き換える移動平均化処理を行う。なお、以下では、移動平均化処理後の各画素の輝度値を移動平均値と称する。
【０１２６】
なお、上記所定サイズは、斑点状の輝度ムラ領域の幅よりも十分に広く、当該所定サイズ内の各位置におけるバックライトからの照射光の輝度値の差が輝度ムラ領域における輝度値の適正輝度値からのずれに対して十分に小さくなる範囲に設定することが好ましい。具体的には、携帯電話等のモバイル機器に備えられる数百画素×数百画素程度の表示パネルの場合、２ｍｍ×２ｍｍ〜１０ｍｍ×１０ｍｍの範囲に設定することが好ましい。本実施形態では、３６０画素×４８０画素の表示パネル２１を用いており、上記範囲を５ｍｍ×５ｍｍとした。なお、上記所定サイズにおける縦方向の長さと横方向の長さとは必ずしも同じでなくてもよい。
【０１２７】
輝度ムラ検出部１５ｂは、輝度データ抽出部１３が抽出した各画素の輝度値と当該各画素についての移動平均値輝度値との差を算出し、この差の絶対値が所定の閾値以上である画素が所定数以上連続している領域を斑点状の輝度ムラとして検出する。なお、上記差が所定の基準値未満の場合には斑点状の輝度ムラは存在しないものみなし、補正データを作成しないようにしてもよい。また、上記所定数は、輝度ムラが視認されることを防止できるように表示装置のサイズや用途等に応じて適宜設定すればよい。
【０１２８】
また、輝度ムラ検出部１５ｂは、図１２に示すように、検出した斑点状の各輝度ムラ領域を円形領域に近似する。円形領域への近似方法は特に限定されるものではなく、従来から公知の種々の方法を用いることができる。
【０１２９】
補正データ生成部１６ｂは、輝度ムラ検出部１５ｂの検出結果に基づいて、斑点状の輝度ムラを視認されにくくするための補正データを生成し、生成した補正データに圧縮処理を施して表示装置２０ｂに備えられる駆動制御部２２ｂに出力する。
【０１３０】
具体的には、補正データ生成部１６ｂは、輝度ムラ検出部１５ｂによって輝度ムラとして抽出された円形に近似された領域について、当該領域内の各画素の平均輝度と、当該領域内の輝度ムラが生じていない適正輝度値（例えば各画素の移動平均値）との差を算出する。すなわち、本実施形態では、後に説明する補正データ記憶部３１ｂに記憶させる容量を少なくするため、斑点状の輝度ムラ領域を円形に近似し、さらに、近似した領域について同一補正強度で補正を行うこととしている。なお、以下の説明では、上記差がｅ（ｅ＞０）である場合（明るい輝度ムラが生じている場合）、およびｆ（ｆ＜０）である場合（暗い輝度ムラが生じている場合）について説明する。
【０１３１】
また、補正データ生成部１６ｂは、表示データ生成部１１が表示パネル２１の全域に基準階調値よりも１階調高い画像データに対応する画像を表示させ、撮像部１２がそれを撮像した撮像データから輝度データ抽出部１３が抽出した輝度データに基づいて、基準階調値よりも１階調高い画像データに対する適正輝度値と基準階調値の画像データに対する適正輝度値との差Ａを算出する。また、補正データ生成部１６ｂは、表示データ生成部１１が表示パネル２１の全域に基準階調値よりも１階調低い画像データに対応する画像を表示させ、撮像部１２がそれを撮像した撮像データから輝度データ抽出部１３が抽出した輝度データに基づいて、基準階調値の画像データに対する適正輝度値と基準階調値よりも１階調低い画像データに対する適輝度値との差Ｂを算出する。
【０１３２】
そして、明るい輝度ムラが生じている各領域ついて、上記ｅの絶対値｜ｅ｜と上記Ｂとの比｜ｅ｜／Ｂを算出する。そして、上記比｜ｅ｜／Ｂが１以下の場合、この輝度ムラを補正するために画像データの階調値を１階調低くするように補正する調整補正画素の数を、上記各領域に含まれる画素の上記比｜ｅ｜／Ｂに応じた割合に設定する。例えば、上記比｜ｅ｜／Ｂの値が１／３である領域については、その領域に含まれる画素のうち３画素に１つの画素を１階調低くするように補正データを生成する。
【０１３３】
同様に、暗い輝度ムラが生じている各領域について、上記ｆの絶対値｜ｆ｜と上記Ａとの比｜ｆ｜／Ａを算出する。そして、上記比｜ｆ｜／Ａが１以下の場合、この輝度ムラを補正するために画像データの階調値を１階調高くするように補正する調整補正画素の数を、上記各領域に含まれる画素の上記比｜ｆ｜／Ａに応じた割合に設定する。例えば、上記比｜ｆ｜／Ａの値が１／３である領域については、その領域に含まれる画素のうち３画素に１つの画素を１階調高くするように補正データを生成する。
【０１３４】
なお、上記比（｜ｅ｜／Ｂ、｜ｆ｜／Ａなど）が１を超える場合、実施形態１と同様、その比に対応する領域における各画素を上記比の整数部分に応じた階調値だけ補正し、上記比の小数部分に応じた割合の画素（調整補正画素）に対する表示用画像データをさらに１階調補正するための補正データを生成する。あるいは、上記比（｜ｅ｜／Ｂ、｜ｆ｜／Ａなど）が１を超える場合、上記比を除算した場合の除算結果が１以下となる２以上の数ｎで上記比を除算し、この除算結果に応じた割合の画素に対する表示用画像データをｎ階調高くするための補正データを作成するようにしてもよい。
【０１３５】
また、上記比Ａ／｜ｅ｜または上記比Ｂ／｜ｆ｜の大きさに応じて、各ブロックの輝度ムラの程度（適正輝度値に対する輝度値のずれの程度。補正強度。）が予め設定された複数のグループ（例えば図１４に示す補正強度１〜８の８つのグループ）のうちのいずれのグループに属するかを判断し、この判断結果と各グループに対して予め設定された値とに基づいて調整補正画素の割合を設定するようにしてもよい。あるいは、グループの分類結果を示す情報を上記割合に代えて補正データに含めるようにしてもよい。
【０１３６】
なお、上記の説明では、補正データ生成部１６ｂが、検出された輝度ムラ領域内の画素のみを補正対象としているが、これに限らず、輝度ムラ領域とその周辺領域（例えば輝度ムラ領域から数画素あるいは数ｍｍ程度の範囲）とを含む領域の画素を補正対象としてもよい。すなわち、輝度ムラ領域を補正領域としてもよく、輝度ムラ領域とその周辺領域とを含む領域を補正領域としてもよい。このように、周辺領域を補正領域に含めることにより、輝度ムラ領域の輪郭をぼかして輝度ムラ領域をより視認されにくくすることができる。
【０１３７】
また、必ずしも検出された全ての輝度ムラ領域を補正する必要はなく、検出された輝度ムラ領域のうちの一部の輝度ムラ領域のみを補正するようにしてもよい。例えば、輝度ムラ領域のサイズや適正輝度値からのずれの程度などに応じて視認されやすい輝度ムラ領域のみを抽出して補正するようにしてもよい。
【０１３８】
また、補正データ生成部１６ｂは、上記の補正データの作成を、Ｒ（Ｒｅｄ），Ｇ（Ｇｒｅｅｎ），Ｂ（Ｂｌｕｅ）の各副画素についてそれぞれ算出する。
【０１３９】
なお、Ｒ，Ｇ，Ｂのうちの１色（例えばＧ）についての補正データを生成し、それを他の色について共用してもよい。斑点状の輝度ムラは所定範囲の領域内において連続的に発生する場合が多いので、Ｒ，Ｇ，Ｂのうちの１色について生成した補正データを、両隣の他の色の副画素に適用しても、Ｒ，Ｇ，Ｂの各色についてそれぞれ補正データを生成する場合と比較して画質の程度はほとんど変わらない。また、Ｒ，Ｇ，Ｂの各色について共通の補正データを用いることにより、これら各色について個別の補正データを生成する場合に比べて、後述する表示装置２０ｂに備えられる補正データを格納するための補正データ記憶部３１ｂに要求される記憶容量を低減できる。
【０１４０】
なお、本実施形態では、補正データ生成部１６ｂが、斑点状の輝度ムラが生じている各輝度ムラ領域を当該輝度ムラ領域のサイズに応じた円形領域に近似し、当該各円形領域の中心座標（あるいは中心座標に対応する画素）および半径と、当該各円形領域についての調整補正画素の割合と、上記調整補正画素について１階調高くするか低くするかを示す情報とを含む補正データを生成する。なお、上記比が１を超える輝度ムラがある場合には、これらの情報に加えて当該輝度ムラに対応する領域に含まれる各画素に対する階調値の補正量（調整補正画素以外の画素に対する補正量）が含まれる。あるいは、上記比が１を超える輝度ムラがある場合には、上記調整補正画素について１階調高くするか低くするかを示す情報に代えて、上記調整補正画素の階調値の補正量（上述したｎの値）、および当該調整補正画素の階調値を高くするか低くするかを示す情報とを含めてもよい。
【０１４１】
その後、補正データ生成部１６ｂは、生成した補正データに圧縮処理を施し、圧縮処理後の補正データを表示装置２０ｂの駆動制御部２２ｂに出力する。なお、圧縮処理の方法および圧縮後の補正データのサイズは特に限定されるものではなく、表示装置２０ｂに備えられる補正データ記憶部３１ｂの記憶容量などに応じて適宜設定すればよい。
【０１４２】
図１３は、表示装置２０ｂに備えられる駆動制御部２２ｂの構成を示すブロック図である。この図に示すように、駆動制御部２２ｂは、補正データ記憶部３１ｂ、復号部３２ｂ、空間分散処理部３３ｂ、時間分散処理部３４ｂ、加算処理部３５、第１ラッチ部３６、第２ラッチ部３７、およびＤ／Ａ変換部３８を備えている。なお、空間分散処理部３３ｂ、時間分散処理部３４ｂ、および加算処理部３５によって画像データ補正部が形成されている。また、駆動制御部２２ｂは、補正データに含まれている調整補正画素の割合（あるいは輝度ムラの程度に応じたグループの分類結果）に応じた、上記ブロック内における調整補正画素の位置を示すパターンを予め記憶した補正パターン記憶部（図示せず）を備えている。図１４（ａ）は、輝度ムラの程度を補正強度１〜８の８つのグループに分類する場合の上記ブロック内における調整補正画素の配置パターンの一例を示している（図中の黒丸が調整補正画素を示している）。
【０１４３】
補正データ記憶部３１ｂは、表示装置２０ｂの製造時に補正データ作成装置１０ｂから入力される補正データを記憶する不揮発性のメモリである。なお、本実施形態では、補正データ記憶部３１ｂに、補正データ作成装置１０ｂによって圧縮処理が施された補正データを格納するようになっている。
【０１４４】
復号部３２ｂは、表示装置２０ｂにおいて画像データに応じた画像を表示パネル２１に表示させる際、補正データ記憶部３１ｂに記憶されている補正データを読み出し、この補正データを復号して空間分散処理部３３ｂに出力する。なお、補正データ記憶部３１ｂの記憶容量に余裕がある場合は、補正データ生成部１６ｂが補正データを圧縮せずに補正データ記憶部３１ｂに記憶させるようにしてもよく、その場合、復号部３２ｂを省略してもよい。
【０１４５】
空間分散処理部３３ｂは、復号部３２ｂから入力された補正データに基づいて、各輝度ムラ領域における調整補正画素の位置を設定し、この設定結果を示す補正データを時間分散処理部３４ｂに出力する。
【０１４６】
具体的には、空間分散処理部３３ｂは、復号部３２ｂから入力された補正データから調整補正画素の割合（あるいは輝度ムラの程度に応じたグループの分類結果）を検出し、この検出結果に対応する補正位置のパターンを補正パターン記憶部から抽出することで調整補正画素を決定する。
【０１４７】
図１５（ａ）および図１５（ｂ）は、復号部３２ｂから入力された補正データ（半径、調整補正画素の割合などの情報）に基づいて、空間分散処理部３３ｂが決定した調整補正画素の配置パターンの一例を示す説明図である。具体的には、図１５（ａ）は輝度ムラ領域に対応する円形領域の半径が６（６画素）、この輝度ムラ領域が補正強度３のグループに分類される場合の例を示している。また、図１５（ｂ）は、輝度ムラ領域に対応する円形領域の半径が９（９画素）、この輝度ムラ領域が補正強度４のグループに分類される場合の例を示している。
【０１４８】
なお、図１４（ａ）および図１４（ｂ）に示したように、調整補正画素の各割合（あるいは輝度ムラの程度に応じた各グループ）に対して、複数の調整補正画素の配置パターンを予め設定しておき、隣接するブロックにおいて異なる配置パターンを適用することにより、調整補正画素同士が隣り合わないようにしてもよい。
【０１４９】
なお、上記の説明では補正パターンを補正パターン記憶部に予め記憶させておくものとしたが、これに限らず、例えばブロック内における調整補正画素の割合（あるいは輝度ムラの程度に応じたグループの分類結果）をパラメータとする所定の演算式に基づいて調整補正画素の位置を算出するようにしてもよい。
【０１５０】
また、上記の説明では、Ｒ，Ｇ，Ｂの各副画素について共通の配置パターンを用いて調整補正画素の位置を決定するものとしているが、これに限らず、色毎に配置パターンを設定するようにしてもよい。例えば、図１６に示すように、輝度ムラの程度に応じた各グループ（あるいは調整補正画素の割合）に対して、Ｇの副画素に対する補正パターンと，ＲおよびＢの副画素に対する補正パターンとを設定しておき、これら両補正パターンを用いて補正対象の各副画素を選択するようにしてもよい。あるいは、これら両補正パターンを交互に用いるようにしてもよい。
【０１５１】
時間分散処理部３４ｂは、空間分散処理部３３ｂから入力される補正データに基づいて、上記の各ブロックにおける調整補正画素の位置を、所定期間毎（本実施形態では１フレーム毎）に変更するように設定し、この設定結果を示す補正データを加算処理部３５に出力する。
【０１５２】
例えば、図１４（ａ）および図１４（ｂ）に示したように、補正データに含まれている調整補正画素の各割合（あるいは輝度ムラの程度に応じた各グループ）に対して複数の調整補正画素の配置パターンを予め設定しておき、フレーム毎に適用する配置パターンを切り替えてもよい。あるいは、図１７に示すように、配置パターンの適用位置をフレーム毎にずらすことにより、調整補正画素の位置を１フレーム毎に変更するようにしてもよい。
【０１５３】
なお、空間分散処理部３３ｂと時間分散処理部３４ｂの順番は逆であってもよい。すなわち、復号部３２ｂから時間分散処理部３４ｂに補正データが入力され、時間分散処理部３４ｂから空間分散処理部３３ｂに補正データが入力される構成であってもよい。
【０１５４】
加算処理部３５、第１ラッチ部３６、第２ラッチ部３７、およびＤ／Ａ変換部３８の機能は実施形態１と略同様である。
【０１５５】
以上のように、本実施形態にかかる補正データ作成装置１０ｂは、表示パネル２１の全画素に同一階調の検査用画像データに応じた画像を表示させてその表示画面を撮像し、撮像データから輝度データを抽出し、抽出した輝度データから斑点状の輝度ムラを抽出する。そして、表示用画像データにおける輝度ムラ領域あるいは輝度ムラ領域とその周辺領域とを含む領域である補正領域に含まれる画素のうち、輝度ムラの程度に応じた割合の画素を調整補正画素として選択し、調整補正画素に対する階調値の補正量を当該補正領域に含まれる調整補正画素以外の画素に対する階調値の補正量と異ならせるための補正データを生成して表示装置２０ｂに備えられる補正データ記憶部３１ｂに記憶させる。
【０１５６】
そして、表示装置２０ｂは、画像データに応じた画像を表示パネル２１に表示させる際、補正データ記憶部３１ｂに記憶されている補正データに基づいて補正領域に含まれる画素のうち上記割合に応じた数の画素を調整補正画素として選択し、選択した調整補正画素の階調値の補正量を他の画素に対する階調値の補正量と異ならせる。
【０１５７】
このように、補正領域に含まれる画素のうち、調整補正画素の補正量を他の画素の補正量と異ならせることにより、当該補正領域の全画素の輝度値を表示用画像データの１階調分に相当する輝度値未満（あるいは表示用画像データの小数部分が０でない階調値に相当する輝度値）だけ一律に補正した場合と略同様に視認させることができる。すなわち、補正領域の全画素の輝度値を擬似的に表示用画像データの１階調分に相当する輝度値未満（あるいは表示用画像データの小数部分が０でない階調値に相当する輝度値）の中間調で補正することができる。したがって、輝度ムラを精度よく補正し、輝度ムラ視認されることをより適切に防止することができる。
【０１５８】
また、本実施形態では、各輝度ムラ領域における調整補正画素の位置を所定期間毎（フレーム毎）に変化させる。つまり、調整補正画素を輝度ムラ領域内において空間的かつ時間的に分散させる。
【０１５９】
これにより、視認される画像を、当該輝度ムラ領域の全画素の輝度値を画像データの１階調分に相当する輝度値未満で一律に変化させた場合の画像により近づけることができる。したがって、輝度ムラが視認されることをより適切に防止することができる。
【０１６０】
また、本実施形態では、斑点状の輝度ムラが生じる領域を円形領域に近似し、この円形領域の中心座標と半径とを輝度ムラ領域の位置を示す情報として補正データに含める。これにより、補正データには、各輝度ムラ領域の中心座標および半径、各輝度ムラ領域における調整補正画素数の割合（あるいは輝度ムラの程度に応じて分類されたグループを示す情報）、および調整補正画素の階調値を１階調高くするのか低くするのかを示す情報の４つのパラメータを含めるだけでよいので、補正データのデータ量を低減して表示装置２０ｂに備えられる補正データ記憶部３１ｂに要求される記憶容量を低減することができる。
【０１６１】
なお、補正領域を円形領域に近似する構成に限らず、例えば多角形に近似してもよい。その場合、補正領域の位置および範囲を示す情報として、例えば、上記多角形の各頂点の位置を補正データに含めるようにしてもよく、上記多角形が正多角形である場合には当該多角形の外接円または内接円の中心位置および半径を補正データに含めるようにしてもよい。
【０１６２】
また、調整補正画素の位置を空間的かつ時間的に分散させるためのデータを補正データ作成装置１０ｂにおいて予め作成し、このデータを補正データ記憶部３１ｂに記憶させるようにしてもよい。すなわち、空間分散処理部３３ｂおよび時間分散処理部３４ｂを表示装置２０ｂではなく補正データ作成装置１０ｂに備えてもよい。この場合、表示装置２０ｂの回路構成および画像データの補正処理を簡略化するとともに、処理速度を高速化することができる。
【０１６３】
〔実施形態３〕
本発明のさらに他の実施形態について説明する。なお、説明の便宜上、実施形態１，２で説明した部材と同様の機能を有する部材についてはそれと同じ符号を付し、その説明を省略する。
【０１６４】
実施形態１ではスジ状の輝度ムラを補正する構成について説明し、実施形態２では斑点状の輝度ムラを補正する構成について説明したが、本実施形態ではスジ状の輝度ムラおよび斑点状の輝度ムラの両方を補正する場合の構成例について説明する。
【０１６５】
図１８は、本実施形態にかかる補正データ作成装置１０ｃの構成を示すブロック図である。この図に示すように、補正データ作成装置１０ｃは、実施形態１における補正データ作成装置１０の構成に加えて、移動平均化処理部１４ｂ、輝度ムラ検出部１５ｂ、および補正データ生成部１６ｂを備えている。そして、これにより、補正データ生成部１６がスジ状の輝度ムラを補正するための補正データを生成して表示装置２０ｃの駆動制御部２２ｃに出力し、補正データ生成部１６ｂが斑点状の輝度ムラを補正するための補正データを生成して表示装置２０ｃの駆動制御部２２ｃに出力するようになっている。これら各補正データの生成方法は実施形態１，２と同様である。
【０１６６】
図１９は、本実施形態にかかる表示装置２０ｃに備えられる駆動制御部２２ｃの構成を示すブロック図である。この図に示すように、駆動制御部２２ｃは、実施形態１における駆動制御部２２に加えて、補正データ記憶部３１ｂ、復号部３２ｂ、空間分散処理部３３ｂ、および時間分散処理部３４ｂを備えている。なお、補正データ記憶部３１、復号部３２、空間分散処理部３３、および時間分散処理部３４によってスジ状の輝度ムラを補正するための第１補正部が構成され、補正データ記憶部３１ｂ、復号部３２ｂ、空間分散処理部３３ｂ、および時間分散処理部３４ｂによって斑点状の輝度ムラを補正するための第２補正部が構成されている。
【０１６７】
そして、加算処理部３５は、時間分散処理部３４から入力されるスジ状の輝度ムラを補正するための補正データと、時間分散処理部３４ｂから入力される斑点状の輝度ムラを補正するための補正データとに基づいて画像データを補正する。
【０１６８】
なお、スジ状の輝度ムラを補正するための補正データおよび斑点状の輝度ムラを補正するための補正データの両方において調整補正画素として選択されている画素については、階調値の最大補正量を１階調に設定してもよく、２階調に設定してもよい。例えば、明るいスジ状の輝度ムラ領域かつ明るい斑点状の輝度ムラ領域に該当する領域の調整補正画素の場合、当該調整補正画素の階調値を２階調低くするようにしてもよく、１階調だけ低くするようにしてもよい。
【０１６９】
本実施形態では、上記の構成により、スジ状の輝度ムラと斑点状の輝度ムラの両方について、輝度ムラとして視認されにくいように補正することができる。
【０１７０】
また、本実施形態では、スジ状の輝度ムラを補正するための処理部（補正データ記憶部３１、復号部３２、空間分散処理部３３、および時間分散処理部３４）と、斑点状の輝度ムラを補正するための処理部（補正データ記憶部３１ｂ、復号部３２ｂ、空間分散処理部３３ｂ、および時間分散処理部３４ｂ）とを別々に設けている。これにより、例えば、スジ状の輝度ムラを補正するための補正データの圧縮方法と、斑点状の輝度ムラを補正するための補正データの圧縮方法とが異なる場合であっても、これら両補正データに基づく補正処理を効率よく行うことができる。
【０１７１】
また、上記各実施形態では、補正データ作成装置１０，１０ｂ，１０ｃが表示装置２０，２０ｂ，２０ｃとは別に備えられているものとしたが、これに限るものではなく、補正データ作成装置１０，１０ｂ，１０ｃの一部または全部が表示装置２０，２０ｂ，２０ｃに備えられている構成としてもよい。補正データ作成装置１０，１０ｂ，１０ｃのうち、撮像部１２を除く各部を表示装置２０，２０ｂ，２０ｃに設け、撮像部１２によって表示パネル２１の表示画面を撮像して取得した撮像データを表示装置２０，２０ｂ，２０ｃ内に設けられた補正データ作成装置１０，１０ｂ，１０ｃに入力するようにしてもよい。
【０１７２】
また、上記各実施形態において、補正データ作成装置１０，１０ｂ，１０ｃあるいは駆動制御装置２２，２２ｂ，２２ｃに備えられる各部（各ブロック）を、ＣＰＵ等のプロセッサを用いてソフトウェアによって実現してもよい。この場合、これら各ブロックは、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである上記各ブロックの制御プログラムのプログラムコード（実行形式プログラム、中間コードプログラム、ソースプログラム）をコンピュータで読み取り可能に記録した記録媒体を、補正データ作成装置１０，１０ｂ，１０ｃあるいは駆動制御装置２２，２２ｂ，２２ｃに供給し、そのコンピュータ（またはＣＰＵやＭＰＵ）が記録媒体に記録されているプログラムコードを読み出し実行することによって達成される。
【０１７３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１７４】
また、補正データ作成装置１０，１０ｂ，１０ｃあるいは駆動制御装置２２，２２ｂ，２２ｃを通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１７５】
また、補正データ作成装置１０，１０ｂ，１０ｃあるいは駆動制御装置２２，２２ｂ，２２ｃの各ブロックは、ソフトウェアを用いて実現されるものに限らず、ハードウェアロジックによって構成されるものであってもよく、処理の一部を行うハードウェアと当該ハードウェアの制御や残余の処理を行うソフトウェアを実行する演算手段とを組み合わせたものであってもよい。
【０１７６】
また、上記の各実施形態では、本発明を液晶表示装置に適用する場合について説明したが、本発明の適用対象はこれに限るものではなく、例えばプラズマディスプレイ、有機ＥＬディスプレイ等の表示装置にも適用できる。
【０１７７】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１７８】
本発明は、液晶表示装置、プラズマディスプレイ、有機ＥＬディスプレイ等の各種表示装置、およびこれらの表示装置に対する補正データを作成する補正データ作成装置に適用できる。
【符号の説明】
【０１７９】
１０，１０ｂ，１０ｃ  補正データ作成装置
１１  表示データ生成部
１２  撮像部
１３  輝度データ抽出部
１４，１４ｂ  移動平均化処理部
１５，１５ｂ  輝度ムラ検出部
１６，１６ｂ  補正データ生成部
２０，２０ｂ，２０ｃ  表示装置
２１  表示パネル
２２，２２ｂ，２２ｃ  駆動制御装置
３１，３１ｂ  補正データ記憶部
３２，３２ｂ  復号部
３３，３３ｂ  空間分散処理部（画像データ補正部）
３４，３４ｂ  時間分散処理部（画像データ補正部）
３５  加算処理部（画像データ補正部）
３６  第１ラッチ部
３７  第２ラッチ部
３８  Ｄ／Ａ変換部
【図１】
2011039451.tif 000003
【図２】
2011039451.tif 000004
【図３】
2011039451.tif 000005
【図４】
2011039451.tif 000006
【図５】
2011039451.tif 000007
【図６】
2011039451.tif 000008
【図７】
2011039451.tif 000009
【図８】
2011039451.tif 000010
【図９】
2011039451.tif 000011
【図１０】
2011039451.tif 000012
【図１１】
2011039451.tif 000013
【図１２】
2011039451.tif 000014
【図１３】
2011039451.tif 000015
【図１４】
2011039451.tif 000016
【図１５】
2011039451.tif 000017
【図１６】
2011039451.tif 000018
【図１７】
2011039451.tif 000019
【図１８】
2011039451.tif 000020
【図１９】
2011039451.tif 000021